(57)【要約】 【課題】読影医による読影作業の利便性を向上させる。【解決手段】画像サーバ３０は、モダリティからＤＩＣＯＭ画像データを受信すると、当該受信したＤＩＣＯＭ画像データを保存対象ＤＩＣＯＭ画像データとして記憶部に一時保存する。そして、保存対象ＤＩＣＯＭ画像データを生成した検査と同一条件の過去検査を検索し、当該過去検査のキー画像を特定する。そして、画像サーバ３０は、当該特定したキー画像の付帯情報と、各保存対象ＤＩＣＯＭ画像データオブジェクトの各付帯情報とをそれぞれ比較し、各保存対象ＤＩＣＯＭ画像データオブジェクトの中から、当該特定したキー画像に対応するオブジェクトを選定する。そして、画像サーバ３０は、選定した保存対象ＤＩＣＯＭ画像データオブジェクトを超高速デバイス３９に、それ以外の保存対象ＤＩＣＯＭ画像データオブジェクトを通常デバイス３８に保存する。【選択図】図５
2009247540.tif 000002
【特許請求の範囲】
【請求項１】
ＤＩＣＯＭ画像を管理する画像サーバであって、
アクセス速度の異なる複数の記憶手段と、
新たに管理対象となる１又は複数のＤＩＣＯＭ画像を生成した検査と同一条件の過去検査におけるキー画像を、既に管理対象となっている１又は複数のＤＩＣＯＭ画像の中から特定し、
当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、
当該選定したＤＩＣＯＭ画像を、前記記憶手段のうちアクセス速度の高い記憶手段に記憶させ、それ以外の新たに管理対象となるＤＩＣＯＭ画像を、前記記憶手段のうちアクセス速度の低い記憶手段に記憶させる制御手段と、
を備える画像サーバ。
【請求項２】
ＤＩＣＯＭ画像を管理する画像サーバであって、
アクセス速度の異なる複数の記憶手段と、
新たに管理対象となる１又は複数のＤＩＣＯＭ画像を生成した検査と同一条件の過去検査におけるキー画像を、既に管理対象となっている１又は複数のＤＩＣＯＭ画像の中から特定し、
当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、
当該選定したＤＩＣＯＭ画像とその付近のＤＩＣＯＭ画像とを、前記記憶手段のうちアクセス速度の高い記憶手段に記憶させ、それ以外の新たに管理対象となるＤＩＣＯＭ画像を、前記記憶手段のうちアクセス速度の低い記憶手段に記憶させる制御手段と、
を備える画像サーバ。
【請求項３】
ＤＩＣＯＭ画像を管理するコンピュータを、
アクセス速度の異なる複数の記憶手段、
新たに管理対象となる１又は複数のＤＩＣＯＭ画像を生成した検査と同一条件の過去検査におけるキー画像を、既に管理対象となっている１又は複数のＤＩＣＯＭ画像の中から特定し、
当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、
当該選定したＤＩＣＯＭ画像を、前記記憶手段のうちアクセス速度の高い記憶手段に記憶させ、それ以外の新たに管理対象となるＤＩＣＯＭ画像を、前記記憶手段のうちアクセス速度の低い記憶手段に記憶させる制御手段、
として機能させるためのプログラム。
【発明の詳細な説明】
【技術分野】
【０００１】
本発明は、画像サーバ及びプログラムに関する。
【背景技術】
【０００２】
近年、多くの医療機関において情報のデジタル化が図られている。例えば、ＣＲ（Computed Radiography）装置、ＣＴ（Computed Tomography）装置、ＭＲＩ（Magnetic Resonance Imaging）装置等の画像生成装置（モダリティ）は、撮影により得られた医用画像の画像データに付帯情報を付帯させて、ＤＩＣＯＭ（Digital Imaging and Communications in Medicine）規格に則ったＤＩＣＯＭ画像データを生成する。
【０００３】
また、画像サーバは、モダリティにおいて生成されたＤＩＣＯＭ画像データを記憶管理する。画像サーバは、読影端末からＤＩＣＯＭ画像データ取得要求があった場合、当該記憶管理しているＤＩＣＯＭ画像データを提供する。そして、読影端末は、取得したＤＩＣＯＭ画像データに基づいて、高精細モニタ上に医用画像（ＤＩＣＯＭ画像）を表示する。また、読影端末は、読影医のユーザ操作に基づき、表示されたＤＩＣＯＭ画像の中から、読影対象となる重要な画像（キー画像（Key Object Selection Document））を選択する。
【０００４】
ＤＩＣＯＭ画像データを記憶管理する技術として、例えば、モダリティ、医用画像表示装置（読影端末）、医用画像記憶装置等を有した医用画像システムにおいて、モダリティにより生成されたＤＩＣＯＭ画像データを医用画像記憶装置に１年間記憶させると共に、別の医用画像記憶装置に１０年間記憶させ、１０年経過後又は医用画像記憶装置の記憶容量が不足した際に、可搬記憶媒体にＤＩＣＯＭ画像データを記憶させるものが提案されている（特許文献１参照）。
【特許文献１】特開２００２−３５２２１６号公報
【発明の開示】
【発明が解決しようとする課題】
【０００５】
ところで、近年は、モダリティの機能向上に伴い、医用画像の発生数の増加と当該医用画像のデータサイズの増大とが著しい。そして、これらの医用画像には、読影医によって参照される可能性の高い医用画像と、低い医用画像とがある。例えば、病変の経過を観察する場合、当該病変を中心とする医用画像が参照される可能性が高く、病変から離れた部位の医用画像が参照される可能性は低い。
【０００６】
しかし、これらの医用画像は、同一の記憶媒体に記憶されて管理されている。そのため、読影作業の際に、参照される可能性の高い医用画像を表示させようとする場合、当該医用画像の検索や取得に時間がかかってしまい不便であった。
【０００７】
本発明は、上述したような課題に鑑みて為されたものであり、その目的とするところは、読影医による読影作業の利便性を向上させることである。
【課題を解決するための手段】
【０００８】
上記の課題を解決するために、請求項１に記載の発明は、
ＤＩＣＯＭ画像を管理する画像サーバであって、
アクセス速度の異なる複数の記憶手段と、
新たに管理対象となる１又は複数のＤＩＣＯＭ画像を生成した検査と同一条件の過去検査におけるキー画像を、既に管理対象となっている１又は複数のＤＩＣＯＭ画像の中から特定し、
当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、
当該選定したＤＩＣＯＭ画像を、前記記憶手段のうちアクセス速度の高い記憶手段に記憶させ、それ以外の新たに管理対象となるＤＩＣＯＭ画像を、前記記憶手段のうちアクセス速度の低い記憶手段に記憶させる制御手段と、
を備える。
【０００９】
請求項２に記載の発明は、
ＤＩＣＯＭ画像を管理する画像サーバであって、
アクセス速度の異なる複数の記憶手段と、
新たに管理対象となる１又は複数のＤＩＣＯＭ画像を生成した検査と同一条件の過去検査におけるキー画像を、既に管理対象となっている１又は複数のＤＩＣＯＭ画像の中から特定し、
当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、
当該選定したＤＩＣＯＭ画像とその付近のＤＩＣＯＭ画像とを、前記記憶手段のうちアクセス速度の高い記憶手段に記憶させ、それ以外の新たに管理対象となるＤＩＣＯＭ画像を、前記記憶手段のうちアクセス速度の低い記憶手段に記憶させる制御手段と、
を備える。
【００１０】
請求項３に記載のプログラムは、
ＤＩＣＯＭ画像を管理するコンピュータを、
アクセス速度の異なる複数の記憶手段、
新たに管理対象となる１又は複数のＤＩＣＯＭ画像を生成した検査と同一条件の過去検査におけるキー画像を、既に管理対象となっている１又は複数のＤＩＣＯＭ画像の中から特定し、
当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、
当該選定したＤＩＣＯＭ画像を、前記記憶手段のうちアクセス速度の高い記憶手段に記憶させ、それ以外の新たに管理対象となるＤＩＣＯＭ画像を、前記記憶手段のうちアクセス速度の低い記憶手段に記憶させる制御手段、
として機能させる。
【発明の効果】
【００１１】
請求項１、３に記載の発明によれば、画像サーバの制御部は、新たに管理対象となる１又は複数のＤＩＣＯＭ画像を生成した検査と同一条件の過去検査におけるキー画像を、既に管理対象となっているＤＩＣＯＭ画像の中から特定し、当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、当該選定したＤＩＣＯＭ画像をアクセス速度の高い記憶手段に記憶させ、それ以外の新たに管理対象となるＤＩＣＯＭ画像をアクセス速度の低い記憶手段に記憶させる。よって、読影作業の際に、読影医により参照される可能性の高いＤＩＣＯＭ画像に高速でアクセスできる。そのため、読影医による読影作業の利便性を向上させることができる。
【００１２】
請求項２に記載の発明によれば、画像サーバの制御部は、新たに管理対象となる１又は複数のＤＩＣＯＭ画像を生成した検査と同一条件の過去検査におけるキー画像を、既に管理対象となっているＤＩＣＯＭ画像の中から特定し、当該特定したキー画像に付帯する付帯情報と新たに管理対象となる各ＤＩＣＯＭ画像に付帯する付帯情報とをそれぞれ比較して、新たに管理対象となる１又は複数のＤＩＣＯＭ画像の中から前記特定したキー画像に対応するＤＩＣＯＭ画像を選定し、当該選定したＤＩＣＯＭ画像とその付近のＤＩＣＯＭ画像とをアクセス速度の高い記憶手段に記憶させ、それ以外の新たに管理対象となるＤＩＣＯＭ画像をアクセス速度の低い記憶手段に記憶させる。よって、読影作業の際に、読影医により参照される可能性の高いＤＩＣＯＭ画像とその付近のＤＩＣＯＭ画像とに高速でアクセスできる。そのため、読影医による読影作業の利便性を向上させることができる。
【発明を実施するための最良の形態】
【００１３】
以下、図面を参照して、本発明に係る医用画像システムの一実施形態について説明する。
【００１４】
[医用画像システムのシステム構成]
図１に、医用画像システム１００のシステム構成を示す。図１に示すように、医用画像システム１００は、ＲＩＳ（Radiological Information System：放射線情報システム）１０と、モダリティ２０と、画像サーバ３０と、レポート管理サーバ４０と、読影端末５０とから構成されており、各装置は通信ネットワークＮを介して、データ通信可能に接続されている。また、画像サーバ３０は、通常デバイス３８と、超高速デバイス３９とデータ通信可能に接続されている。また、読影端末５０と超高速デバイス３９とは、専用回線Ｍ（例えば、ファイバーチャネル）で高速データ通信可能に接続されている。
【００１５】
ＲＩＳ１０は、放射線科部門内における診療予約、診断結果のレポート、実績管理、材料在庫管理等の情報管理を行う。ＲＩＳ１０は、図示しない電子カルテシステム等において生成された撮影オーダ情報をモダリティ２０及び画像サーバ３０に送信する。
【００１６】
モダリティ２０は、ＲＩＳ１０から受信した撮影オーダ情報に従って、患者を撮影し、医用画像の画像データを生成する撮影装置である。また、モダリティ２０は、前記撮影オーダ情報に基づいて、前記画像データに関する付帯情報を生成する。そして、モダリティ２０は、前記画像データ（以下、画像実データと称す。）に当該付帯情報を付帯させて、ＤＩＣＯＭ規格に則ったＤＩＣＯＭ画像データを生成し、画像サーバ３０に送信する。モダリティ２０としては、ＣＲ装置、ＣＴ装置、ＭＲＩ装置等、様々な種類の医用画像を撮影する撮影装置が適用可能である。
【００１７】
図２に、モダリティ２０が生成するＤＩＣＯＭ画像データのデータ構成図を示す。前述したように、ＤＩＣＯＭ画像データは、付帯情報と画像実データとから構成される。また、付帯情報は、患者情報、検査情報、シリーズ情報及び画像情報を含む。
【００１８】
患者情報は、患者ＩＤ、患者名、生年月日、性別等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００１９】
また、１人の患者に対して１又は複数の検査が紐付けられる（関連している）。そのため、患者情報と検査情報との間には、１対１、又は１対複数の関連がある。また、１検査に対して１又は複数のシリーズが紐付けられる（関連している）。そのため、検査情報とシリーズ情報との間には、１対１、又は１対複数の関連がある。また、１シリーズに対して１又は複数の医用画像が紐付けられる（関連している）。そのため、シリーズ情報と画像情報との間には、１対１、又は１対複数の関連がある。
【００２０】
以下、医用画像１枚に対応するＤＩＣＯＭ画像データをＤＩＣＯＭ画像データオブジェクトと称す。また、説明の便宜上、ＤＩＣＯＭ画像データオブジェクトや当該ＤＩＣＯＭ画像データオブジェクトに含まれる画像実データを単にＤＩＣＯＭ画像と称すことがある。
【００２１】
図１に戻り、画像サーバ３０は、モダリティ２０において生成されたＤＩＣＯＭ画像データ等を保存し管理する。具体的に、画像サーバ３０は、モダリティ２０からＤＩＣＯＭ画像データを受信すると、当該受信したＤＩＣＯＭ画像データを通常デバイス３８又は超高速デバイス３９に保存する。また、画像サーバ３０は、読影端末５０からＤＩＣＯＭ画像データ取得要求を受信した場合、当該取得要求に応じたＤＩＣＯＭ画像データを読影端末５０に送信する。
【００２２】
超高速デバイス３９は、シリコンディスク等の記憶媒体であり、ＤＩＣＯＭ画像データ等を記憶する。超高速デバイス３９は、画像サーバ３０からのアクセス速度が、後述する通常デバイス３８のアクセス速度に比べて高い。また、超高速デバイス３９は、読影端末５０と専用回線Ｍで結ばれており、読影端末５０との間で高速通信を行う。この専用回線Ｍを介して、超高速デバイス３９に記憶されているＤＩＣＯＭ画像データが、読影端末５０に送信される。
【００２３】
通常デバイス３８は、ハードディスク等の記憶媒体であり、ＤＩＣＯＭ画像データ等を記憶する。通常デバイス３８は、画像サーバ３０からのアクセス速度が、前述した超高速デバイス３９のアクセス速度に比べて低い。また、通常デバイス３８は、読影端末５０と専用回線Ｍで結ばれていないため、読影端末５０からのアクセス速度が、前述した超高速デバイス３９のアクセス速度に比べて低い。
【００２４】
レポート管理サーバ４０は、読影端末５０において作成された読影レポートを記憶し、管理する（記憶管理する）。
【００２５】
読影端末５０は、医用画像を表示するモニタを有し、読影医が医用画像の読影レポートを作成することを主な目的として設置されるＰＣ（Personal Computer）等の端末である。読影端末５０は、読影医によるユーザ操作に基づき、画像サーバ３０にＤＩＣＯＭ画像データ取得要求を送信し、当該取得要求に応じたＤＩＣＯＭ画像データを取得する。そして、当該ＤＩＣＯＭ画像データに基づきモニタに医用画像を表示する。そして、読影端末５０は、読影医によるユーザ操作等に基づき、モニタに表示される医用画像の中から読影対象となる重要な画像（以下、キー画像と称す）を選択する。そして、読影端末５０は、読影医によるユーザ操作に基づき、読影レポートを作成し、レポート管理サーバ４０に送信する。そして、レポート管理サーバ４０は、送信された読影レポートを保存する。
【００２６】
また、読影端末５０は、キー画像を特定する（選択したＤＩＣＯＭ画像を特定する）キー画像特定情報を生成する。そして、読影端末５０は、作成した読影レポートをレポート管理サーバ４０に送信すると、読影が完了した旨の通知である読影完了通知と前記キー画像特定情報とを画像サーバ３０に送信する。キー画像特定情報とは、選択されたキー画像に対応するＤＩＣＯＭ画像データオブジェクトに含まれる画像情報のＳＯＰインスタンスＵＩＤである。
【００２７】
[画像サーバの機能的構成]
図３に、画像サーバ３０の機能的構成を示す。図３に示すように、画像サーバ３０は、制御部３１、操作部３２、表示部３３、通信部３４、記憶部３５、Ｉ／Ｆ部３６を備えて構成され、各部はバス３７により接続されている。また、Ｉ／Ｆ部３６は、通常デバイス３８、超高速デバイス３９と接続されている。
【００２８】
制御部３１は、ＣＰＵ（Central Processing Unit）、ＲＡＭ（Random Access Memory）等から構成され、画像サーバ３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００２９】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３０】
表示部３３は、ＬＣＤ（Liquid Crystal Display）により構成され、制御部３１から入力される表示データに基づいて各種画面を表示する。
【００３１】
通信部３４は、ＬＡＮ（Local Area Network）アダプタ、ルータ、ＴＡ（Terminal Adapter）等を備え、通信ネットワークＮを介して接続されたＲＩＳ１０、モダリティ２０、読影端末５０等の外部機器との間でデータの送受信を行う。
【００３２】
記憶部３５は、ハードディスク等から構成され、制御プログラム、当該プログラムの実行に必要なパラメータやファイル等を記憶している。また、記憶部３５は、モダリティ２０により生成されたＤＩＣＯＭ画像データ（１又は複数のＤＩＣＯＭ画像データオブジェクト）を一時記憶する。
【００３３】
また、記憶部３５は、ＤＩＣＯＭ画像データを管理するためのデータベースプログラムを記憶する。当該データベースプログラムと制御部３１との協働により、通常デバイス３８に記憶されているＤＩＣＯＭ画像データ、及び超高速デバイス３９に記憶されているＤＩＣＯＭ画像データを管理する。ここで、説明の便宜上、記憶部３５と通常デバイス３８と超高速デバイス３９とを併せて、ＤＩＣＯＭ記憶領域と称することがある。
【００３４】
図４に、ＤＩＣＯＭ記憶領域において記憶管理されているＤＩＣＯＭ画像データの記憶管理イメージ図を示す。ＤＩＣＯＭ画像データオブジェクトは、付帯情報に含まれる患者情報、検査情報、シリーズ情報に基づき、記憶管理されている。図４によれば、ＤＩＣＯＭ記憶領域は、患者Ａに対して行われた検査ＥのシリーズＸに関するＤＩＣＯＭ画像データオブジェクトを１０００個記憶している（ＤＩＣＯＭ画像データオブジェクトｄ１〜ｄ１０００）。また、ＤＩＣＯＭ記憶領域は、患者Ａに対して行われた検査ＥのシリーズＹに関するキーオブジェクトを記憶している。
【００３５】
ここで、ＤＩＣＯＭ記憶領域に記憶される当該キーオブジェクトについて説明する。制御部３１は、通信部３４を介して、読影端末５０から読影完了通知とキー画像特定情報を受信すると、当該キー画像特定情報に基づいて、キーオブジェクトを生成する。具体的に、制御部３１は、検査Ｅに関するシリーズＸの他に、キー画像用のシリーズＹを生成し、当該シリーズＹに紐付いたキーオブジェクトを生成する。キーオブジェクトは、対象画像のＳＯＰインスタンスＵＩＤを保持する。制御部３１は、変換テーブル等を使用し、該当するＳＯＰインスタンスＵＩＤを持つＤＩＣＯＭ画像データオブジェクトと当該キーオブジェクトとをリンクさせる（例えば、ポインタを用いてＤＩＣＯＭ画像データオブジェクトが格納されているアドレスを指し示す）。尚、キーオブジェクトは、１つとは限らず、複数存在してもよい。例えば、読影端末５０において、キー画像が５枚選択された場合、制御部３１は、シリーズＹに紐付いたキーオブジェクトを５つ生成する。以上がキーオブジェクトの説明である。
【００３６】
図３に戻り、制御部３１は、モダリティ２０からＤＩＣＯＭ画像データを受信すると、当該受信したＤＩＣＯＭ画像データを保存対象ＤＩＣＯＭ画像データとして記憶部３５に一時保存する。そして、制御部３１は、保存対象ＤＩＣＯＭ画像データを生成した検査と同一条件の過去検査におけるキー画像に対応する保存対象ＤＩＣＯＭ画像データオブジェクトを記憶部３５から読み出して超高速デバイス３９に保存する（記憶させる）。また、制御部３１は、それ以外の保存対象ＤＩＣＯＭ画像データオブジェクトを記憶部３５から読み出して通常デバイス３８に保存する（記憶させる）。
【００３７】
また、制御部３１は、超高速デバイス３９に保存されているＤＩＣＯＭ画像データオブジェクトに対して、読影端末５０において読影が行われた場合、当該ＤＩＣＯＭ画像データオブジェクトを超高速デバイス３９から通常デバイス３８に移動させる。具体的に、制御部３１は、超高速デバイス３９からＤＩＣＯＭ画像データオブジェクトを読み出して、通常デバイス３８に当該ＤＩＣＯＭ画像データオブジェクトを保存する。そして、超高速デバイス３９に保存されているＤＩＣＯＭ画像データオブジェクトを消去する。
【００３８】
図５に通常デバイス３８及び超高速デバイス３９に記憶されるＤＩＣＯＭ画像データオブジェクトの記憶領域イメージ図を示す。図５に示すように、超高速デバイス３９は、同一条件の過去検査のキー画像に対応する、読影前のＤＩＣＯＭ画像データオブジェクトのみを記憶する。また、通常デバイス３８は、それ以外のＤＩＣＯＭ画像データオブジェクトを全て記憶する。つまり、画像サーバ３０が管理するＤＩＣＯＭ画像データは、通常デバイス３８に蓄積記憶されることになる。
【００３９】
尚、病変の経過を観察する場合、同一条件の過去検査のキー画像に対応する、読影前のＤＩＣＯＭ画像データオブジェクトは、読影医による読影作業において参照される可能性が高い。
【００４０】
[ＤＩＣＯＭ画像データの生成から保存までの間、医用画像システムで実行される処理]
次に、ＤＩＣＯＭ画像データの生成から保存までの間に、医用画像システム１００において実行される各装置の具体的な動作について図６を用いて説明する。
【００４１】
まず、モダリティ２０は、患者を撮影し、ＤＩＣＯＭ画像データを生成する（ステップＳ１）。ここで、モダリティ２０は、この検査（検査Ｇとする）において、１０００枚の医用画像を撮影したとする。つまり、モダリティ２０は、検査Ｇにおいて、１０００個のＤＩＣＯＭ画像データオブジェクトを生成したことになる。
【００４２】
そして、モダリティ２０は、生成したＤＩＣＯＭ画像データ（１０００個のＤＩＣＯＭ画像データオブジェクト）を画像サーバ３０に送信する（ステップＳ２）。
【００４３】
画像サーバ３０は、モダリティ２０からＤＩＣＯＭ画像データを受信すると、当該受信したＤＩＣＯＭ画像データ（１０００個のＤＩＣＯＭ画像データオブジェクト）を保存対象ＤＩＣＯＭ画像データとして記憶部３５に一時保存する（ステップＳ３）。
【００４４】
そして、画像サーバ３０は、保存対象ＤＩＣＯＭ画像データを生成した検査と同一条件の過去検査を検索する（ステップＳ４）。同一条件の過去検査とは、例えば、「モダリティ名」「ステーション名」「検査部位」「検査方向」「検査体位」「手技」「患者ＩＤ」や、これらの組み合わせが等しい過去検査のことをいう。尚、当該同一条件に、これらの項目以外の項目を加えてもよい。
【００４５】
具体的に、画像サーバ３０は、保存対象ＤＩＣＯＭ画像データの付帯情報から項目「モダリティ名」「ステーション名」「検査部位」「検査方向」「検査体位」「手技」「患者ＩＤ」等を抽出する。そして、画像サーバ３０は、当該抽出した項目群に基づいて、記憶部３５に記憶されているデータベースプログラムに、該当する検査が有るか否かを問い合わせる。
【００４６】
ここで、項目「モダリティ名」とは、モダリティの種類であり、ＣＲ、ＣＴ、ＭＲ等の値をとる。また、項目「ステーション名」とは、装置名であり、装置の世代や製造メーカ毎に異なる値をとる。また、項目「検査部位」は、検査の部位であり、頭部、胸部等の左、右、前、後の値をとる。また、項目「検査方向」は、撮影した方向であり、正面、側面等の値をとる。また、項目「検査体位」は、撮影した体位であり、立位、臥位等の値をとる。尚、画像サーバ３０が保存対象ＤＩＣＯＭ画像データの付帯情報から抽出する項目は、同一条件の過去検査とみなすための項目の種類に応じて、適宜変更可能である。
【００４７】
ステップＳ４の検索において、同一条件の過去検査が無い場合（ステップＳ５；ＮＯ）、画像サーバ３０は、保存対象ＤＩＣＯＭ画像データオブジェクトを全て記憶部３５から読み出し（検査Ｇにおける１０００個のＤＩＣＯＭ画像データオブジェクトを記憶部３５から読み出し）、通常デバイス３８に保存する（ステップＳ１１）。そして、画像サーバ３０は、記憶部３５に一時記憶されている保存対象ＤＩＣＯＭ画像データを消去する。
【００４８】
一方、同一条件の過去検査が有る場合（ステップＳ５；ＹＥＳ）、画像サーバ３０は、同一条件の過去検査におけるキーオブジェクトに基づいて、当該過去検査におけるキー画像を特定する（ステップＳ６）。具体的に、検査Ｇと同一条件の過去検査を検査Ｅ（図４参照）とすると、画像サーバ３０は、患者Ａに紐付く検査Ｅに紐付くシリーズＹに紐付くキーオブジェクト（図４参照）に基づいて、ＤＩＣＯＭ画像データオブジェクトｄ３０１（図４参照）を特定する。
【００４９】
そして、画像サーバ３０は、過去検査におけるキー画像（キーオブジェクトが指し示すＤＩＣＯＭ画像データオブジェクト）の付帯情報に含まれる画像情報に含まれる画像番号を抽出する（ステップＳ７）。
【００５０】
そして、画像サーバ３０は、記憶部３５に一時記憶されている保存対象ＤＩＣＯＭ画像データオブジェクト群（検査Ｇにおいて生成された１０００個の保存対象ＤＩＣＯＭ画像データオブジェクト）の中から、前記抽出した画像番号と同じ画像番号である保存対象ＤＩＣＯＭ画像データオブジェクトを選定する（ステップＳ８）。具体的に、画像サーバ３０は、前記抽出した画像番号の値と、各保存対象ＤＩＣＯＭ画像データオブジェクトの付帯情報に含まれる画像番号の値とを、それぞれ比較して選定する。
【００５１】
ここで、画像番号とは、１検査において生成（撮影）される医用画像に対して、１から順番に割り振られる番号のことである。例えば、検査Ｇにおいては１０００枚の医用画像が生成されるので、それぞれの医用画像に対して画像番号が１〜１０００まで順番に割り振られることになる。尚、上から下の方向（頭部から脚部の方向）に、患者のスライス画像を１０００枚撮影した場合、最上部の医用画像の画像番号は１、最下部の医用画像の画像番号は１０００となる。
【００５２】
そして、画像サーバ３０は、ステップＳ８において選定した保存対象ＤＩＣＯＭ画像データオブジェクトを記憶部３５から読み出し、超高速デバイス３９に保存する（ステップＳ９）。また、画像サーバ３０は、それ以外の保存対象ＤＩＣＯＭ画像データオブジェクトを記憶部３５から読み出し、通常デバイス３８に保存する（ステップＳ１０）。そして、画像サーバ３０は、記憶部３５に一時記憶されている保存対象ＤＩＣＯＭ画像データを消去する。
【００５３】
[読影時に医用画像システムで実行される処理]
次に、読影時に医用画像システム１００において実行される各装置の具体的な動作について図７を用いて説明する。
【００５４】
まず、読影端末５０は、読影医等のユーザ操作に基づき、ＤＩＣＯＭ画像データ取得要求を画像サーバ３０に送信する（ステップＳ１０１）。当該ＤＩＣＯＭ画像データ取得要求には、患者名や検査日等のデータ特定情報が含まれる。
【００５５】
画像サーバ３０は、読影端末５０からＤＩＣＯＭ画像データ取得要求を受信すると、当該ＤＩＣＯＭ画像データ取得要求に含まれるデータ特定情報に基づき、該当するＤＩＣＯＭ画像データオブジェクトを超高速デバイス３９から読影端末５０に、専用回線Ｍを介して送信する（ステップＳ１０２）。
【００５６】
また、画像サーバ３０は、当該ＤＩＣＯＭ画像データ取得要求に含まれるデータ特定情報に基づき、該当するＤＩＣＯＭ画像データオブジェクトを通常デバイス３８から読み出し、通信ネットワークＮを介して、読影端末５０に送信する（ステップＳ１０３）。
【００５７】
例えば、ステップＳ１０１において送信されたＤＩＣＯＭ画像データ取得要求が、検査Ｇにおいて生成されたＤＩＣＯＭ画像データを取得する旨の要求であるとする。つまり、データ特定情報により特定される検査が検査Ｇであるとする。そうすると、画像サーバ３０は、図６のステップＳ９において、超高速デバイス３９に保存されたＤＩＣＯＭ画像データオブジェクトを、読影端末５０に専用回線Ｍを介して送信する。また、画像サーバ３０は、図６のステップＳ１０において、通常デバイス３８に保存されたＤＩＣＯＭ画像データオブジェクトを読み出し、読影端末５０に通信ネットワークＮを介して送信する。
【００５８】
そして、読影端末５０は、画像サーバ３０からＤＩＣＯＭ画像データ（検査Ｇにおける１０００個のＤＩＣＯＭ画像データオブジェクト）を受信し始めると、受信したＤＩＣＯＭ画像データオブジェクトに基づき、モニタに医用画像（ＤＩＣＯＭ画像）を表示する（ステップＳ１０４）。そして、画像サーバ３０からのＤＩＣＯＭ画像データ（検査Ｇにおける１０００個のＤＩＣＯＭ画像データオブジェクト）の受信が終わると、モニタには１０００枚の医用画像が表示される。尚、読影端末５０は、１０００枚の医用画像（ＤＩＣＯＭ画像）を、画面をスクロールさせる等して表示する。
【００５９】
このように、読影端末５０は、超高速デバイス３９に保存されているＤＩＣＯＭ画像を専用回線Ｍを介して受信するため、読影医による読影作業において参照される可能性の高いＤＩＣＯＭ画像を、ＤＩＣＯＭ画像データ取得要求を送信してから短時間でモニタに表示することができる。
【００６０】
そして、読影端末５０は、読影医によるユーザ操作に基づき、モニタに表示された１０００枚の医用画像（ＤＩＣＯＭ画像）の中から１又は複数枚のキー画像を選択する（ステップＳ１０５）。読影医は、当該キー画像に対して読影を行う。そして、読影端末５０は、読影医によるユーザ操作に基づいて読影レポートを作成し、当該読影レポートをレポート管理サーバ４０に保存する（ステップＳ１０６）。
【００６１】
そして、読影端末５０は、読影が完了した旨の通知である読影完了通知と、キー画像を特定する情報であるキー画像特定情報とを画像サーバ３０に送信する（ステップＳ１０７）。ここで、キー画像特定情報とは、キー画像として選択されたＤＩＣＯＭ画像に関する画像情報のＳＯＰインスタンスＵＩＤである。また、読影完了通知は、読影を行った検査に対応する患者情報と検査情報を含む。
【００６２】
画像サーバ３０は、読影端末５０から読影完了通知とキー画像特定情報を受信すると、当該キー画像特定情報に基づいて、キーオブジェクトを生成する（ステップＳ１０８）。具体的に、画像サーバ３０は、キー画像用のシリーズを生成し、当該生成したシリーズに紐付いたキーオブジェクトを生成する。ここで、画像サーバ３０は、当該キーオブジェクトを生成することにより、読影端末５０において選択されたＤＩＣＯＭ画像を、キー画像として管理する。
【００６３】
そして、画像サーバ３０は、超高速デバイス３９に記憶されているＤＩＣＯＭ画像データオブジェクトを通常デバイス３８に移動させる（ステップＳ１０９）。以上で処理が終了する。
【００６４】
以上、本実施の形態によれば、画像サーバ３０は、モダリティ２０からＤＩＣＯＭ画像データを受信すると、当該受信したＤＩＣＯＭ画像データを保存対象ＤＩＣＯＭ画像データとして記憶部３５に一時保存する。そして、画像サーバ３０は、保存対象ＤＩＣＯＭ画像データを生成した検査と同一条件の過去検査を検索し、当該過去検査のキー画像を特定する。そして、画像サーバ３０は、当該特定したキー画像の付帯情報と、各保存対象ＤＩＣＯＭ画像データオブジェクトの各付帯情報とをそれぞれ比較し、各保存対象ＤＩＣＯＭ画像データオブジェクトの中から、当該特定したキー画像に対応するオブジェクトを選定する。そして、画像サーバ３０は、選定した保存対象ＤＩＣＯＭ画像データオブジェクトを超高速デバイス３９（アクセス速度の高い記憶手段）に保存する。また、それ以外の保存対象ＤＩＣＯＭ画像データオブジェクトを通常デバイス３８（アクセス速度の低い記憶手段）に保存する。
【００６５】
よって、読影医による読影作業において参照される可能性の高いＤＩＣＯＭ画像を、専用回線Ｍを介して、ＤＩＣＯＭ画像を表示する端末（例えば、読影端末５０）に、短時間で提供することができる。そのため、読影医による読影作業の利便性を向上させることができる。
【００６６】
[変形例１]
尚、本実施の形態において、読影端末５０と超高速デバイス３９とは、専用回線Ｍで高速データ通信可能に接続されているとしたが、以下のようなシステム構成にしてもよい。
【００６７】
即ち、読影端末５０と超高速デバイス３９とを専用回線Ｍを介して接続せずに、超高速デバイス３９を読影端末５０の内部に組み込む。
【００６８】
このようなシステム構成とすることで、読影端末５０は、キー画像に対応する読影前のＤＩＣＯＭ画像データオブジェクトを読み込む際、外部機器とデータ通信を行う必要が無い。そのため、本実施の形態と同様の効果を得ることができる。
【００６９】
また、超高速デバイス３９を読影端末５０の内部に組み込まず、且つ専用回線Ｍで読影端末５０と超高速デバイス３９とを接続しなくてもよい。
【００７０】
この場合、超高速デバイス３９に保存されたキー画像に対応する読影前のＤＩＣＯＭ画像データオブジェクトを、通信ネットワークＮを介して読影端末５０に送信する。しかし、超高速デバイス３９の画像サーバ３０からのアクセス速度は、通常デバイス３８の画像サーバ３０からのアクセス速度より高いため、本実施の形態と同様の効果を得ることができる。
【００７１】
[変形例２]
尚、本実施の形態において、画像サーバ３０は、図６のステップＳ８において選定した保存対象ＤＩＣＯＭ画像データオブジェクトを超高速デバイス３９に、それ以外の保存対象ＤＩＣＯＭ画像データオブジェクトを通常デバイス３８に保存するとしたが、以下のような構成にしてもよい。
【００７２】
即ち、画像サーバ３０は、図６にステップＳ８において選定した保存対象ＤＩＣＯＭ画像データオブジェクトと、当該選定した保存対象ＤＩＣＯＭ画像データオブジェクト付近の保存対象ＤＩＣＯＭ画像データオブジェクトとを超高速デバイス３９に保存する。また、画像サーバ３０は、超高速デバイス３９に保存した保存対象ＤＩＣＯＭ画像データオブジェクト以外の保存対象ＤＩＣＯＭ画像データオブジェクトを通常デバイス３８に保存する。
【００７３】
ここで、保存対象ＤＩＣＯＭ画像データオブジェクト付近の保存対象ＤＩＣＯＭ画像データオブジェクトとは、画像番号の値が近い保存対象ＤＩＣＯＭ画像データオブジェクトのことを指す。例えば、選定した保存対象ＤＩＣＯＭ画像データオブジェクトの画像番号の値との差の絶対値が１０以下の画像番号を持つ保存対象ＤＩＣＯＭ画像データオブジェクトのことを指す。
【００７４】
以上、本実施の形態の変形例２によれば、画像サーバ３０は、モダリティ２０からＤＩＣＯＭ画像データを受信すると、当該受信したＤＩＣＯＭ画像データを保存対象ＤＩＣＯＭ画像データとして記憶部３５に一時保存する。そして、画像サーバ３０は、保存対象ＤＩＣＯＭ画像データを生成した検査と同一条件の過去検査を検索し、当該過去検査のキー画像を特定する。そして、画像サーバ３０は、当該特定したキー画像の付帯情報と、各保存対象ＤＩＣＯＭ画像データオブジェクトの各付帯情報とをそれぞれ比較し、各保存対象ＤＩＣＯＭ画像データオブジェクトの中から、当該特定したキー画像に対応するオブジェクトを選定する。そして、画像サーバ３０は、選定した保存対象ＤＩＣＯＭ画像データオブジェクトと、その付近の保存対象ＤＩＣＯＭ画像データオブジェクトとを超高速デバイス３９（アクセス速度の高い記憶手段）に保存する。また、それ以外の保存対象ＤＩＣＯＭ画像データオブジェクトを通常デバイス３８（アクセス速度の低い記憶手段）に保存する。
【００７５】
よって、読影医による読影作業において参照される可能性の高いＤＩＣＯＭ画像とその付近のＤＩＣＯＭ画像とを、専用回線Ｍを介して、ＤＩＣＯＭ画像を表示する端末（例えば、読影端末５０）に、短時間で提供することができる。そのため、読影医による読影作業の利便性を向上させることができる。
【００７６】
尚、本実施の形態における記述は、本発明に係る医用画像システムの一例であり、これに限定されるものではない。システムを構成する各装置の細部構成及び細部動作に関しても適宜変更可能である。
【００７７】
また、本実施の形態では、プログラムを格納したコンピュータ読み取り可能な媒体としてハードディスクを使用した例を開示したが、この例に限定されない。その他のコンピュータ読み取り可能な媒体として、フラッシュメモリ等の不揮発性メモリ、ＣＤ−ＲＯＭ等の可搬型記憶媒体を適用することが可能である。また、プログラムのデータを通信回線を介して提供する媒体として、キャリアウェーブ（搬送波）も適用可能である。
【図面の簡単な説明】
【００７８】
【図１】本発明の一実施形態における医用画像システムのシステム構成図である。
【図２】ＤＩＣＯＭ画像データのデータ構成図である。
【図３】画像サーバのブロック図である。
【図４】画像サーバにおける記憶管理イメージ図である。
【図５】画像サーバにおける記憶領域イメージ図である。
【図６】キーオブジェクト生成に関して、医用画像システムで実行される処理を示すラダーチャートである。
【図７】ＤＩＣＯＭ画像データ保存に関して、医用画像システムで実行される処理を示すラダーチャートである。
【符号の説明】
【００７９】
１０      ＲＩＳ
２０      モダリティ
３０      画像サーバ
３１      制御部
３２      操作部
３３      表示部
３４      通信部
３５      記憶部
３６      Ｉ／Ｆ部
３７      バス
３８      通常デバイス
３９      超高速デバイス
４０      レポート管理サーバ
５０      読影端末
１００    医用画像システム
Ｍ        専用回線
Ｎ        通信ネットワーク
【図１】
2009247540.tif 000003
【図２】
2009247540.tif 000004
【図３】
2009247540.tif 000005
【図４】
2009247540.tif 000006
【図５】
2009247540.tif 000007
【図６】
2009247540.tif 000008
【図７】
2009247540.tif 000009